(57)【特許請求の範囲】
【請求項１】
放送局から到来する、放送番組及び、この放送番組に多重化された多重データを含む放送電波のＲＦ信号を受信する受信手段と、この放送電波から多重データを抽出するデータ抽出手段と、現在受信中の放送電波のＲＦ信号に応じて受信レベルを検出する受信レベル検出手段と、現在受信中の追従元放送電波と同一ネットワーク局の放送電波に対して追従動作を実行する追従動作実行手段と、この追従動作実行手段にて追従された追従先放送電波及び追従元放送電波の内、最高の受信レベルに関わる放送電波を受信手段に受信させる制御手段とを有する多重放送受信装置であって、
前記追従動作実行手段による追従元放送電波及び追従先放送電波の各ＲＦ信号のレベルを一律に減衰するレベル減衰手段を有し、
前記制御手段は、前記追従動作実行手段にて現在受信中の追従元放送電波と同一ネットワーク局の追従先放送電波に対して追従動作を実行させるときに、受信中の多重データが特殊多重データである場合のみ、前記レベル減衰手段の動作を起動させ、前記追従動作が終了した時に前記レベル減衰手段の動作を停止させることを特徴とする多重放送受信装置。
【請求項２】
前記レベル減衰手段は、各放送電波のＲＦ信号の代わりに、このＲＦ信号に応じた受信レベルを一律に減衰することを特徴とする請求項１記載の多重放送受信装置。
【請求項３】
前記レベル減衰手段は、
制御電圧に応じて、前記追従元放送電波及び追従先放送電波の各ＲＦ信号のレベルを制御するレベル制御手段と、
このレベル制御手段にてレベル制御されたＲＦ信号に対応した制御電圧を生成する制御電圧生成手段と、
前記制御手段からの制御信号に応じて、前記レベル制御手段にかかる制御電圧のレベルを一律に減衰させる電圧減衰手段とを有することを特徴とする請求項１記載の多重放送受信装置。
【請求項４】
前記レベル減衰手段は、
前記受信手段及び受信レベル検出手段間に放送電波のＲＦ信号が流れ込み可能な分岐線と、
この分岐線にＲＦ信号が流れ込まない程度の抵抗値を有する抵抗手段と、
前記制御手段からの制御信号に応じて、所定の制御電流を生成する制御電流生成手段と、
この所定の制御電流に応じて、前記分岐線にＲＦ信号が流れ込むように抵抗手段の抵抗値を一定値まで下げる抵抗値制御手段とを有することを特徴とする請求項１記載の多重放送受信装置。
【請求項５】
前記多重データは、この多重データを含む放送電波を送信する放送局の周辺地域に関わる交通情報を有することを特徴とする請求項１記載の多重放送受信装置。
【請求項６】
前記多重データは、この多重データを含む放送電波を送信する放送局の周辺地域に関わる交通情報を有することを特徴とする請求項２記載の多重放送受信装置。
【請求項７】
前記多重データは、この多重データを含む放送電波を送信する放送局の周辺地域に関わる交通情報を有することを特徴とする請求項３記載の多重放送受信装置。
【請求項８】
前記多重データは、この多重データを含む放送電波を送信する放送局の周辺地域に関わる交通情報を有することを特徴とする請求項４記載の多重放送受信装置。
【発明の詳細な説明】
【０００１】
【発明の属する技術分野】
本発明は、主に放送局から到来する多重放送を受信し、この多重放送から音声番組放送の他に、多重データを抽出し、この多重データに基づいて、例えば文字放送を画面表示する、例えばＦＭ多重受信装置に代表される多重放送受信装置に関する。
【０００２】
【従来の技術】
近年、このような多重放送としては、例えば欧州等のラジオデータシステム（ＲＤＳ）放送のように、通常のラジオ放送である音声番組放送を受聴しながら、文字放送をも目視することができる、いわゆる、「見えるラジオ」として広く脚光を浴びている。
【０００３】
この多重放送は、ラジオ放送の放送電波に多重データを多重化して、この多重化された多重データを受信装置側で抽出し、この抽出された多重データを文字放送や様々なサービスデータとして取り込ませるようにしたものである。
【０００４】
この多重データには、文字放送等の一般放送多重データや、様々なサービスデータが含まれており、例えばサービスデータとしては音声放送の番組を識別する番組識別データ（以下、単にＰＩコードと称する）や、放送局の周辺地域における同一ネットワーク局の受信周波数を一覧にした代替周波数リスト（以下、単にＡＦリストと称する）等があげられる。
【０００５】
このようなＡＦリストを利用して行われる多重放送受信装置の機能としては自動追従機能があげられる。
【０００６】
この自動追従機能とは、多重放送受信装置側で現在受信中の放送電波からＡＦリストを抽出し、このＡＦリストをメモリに記憶しておき、現在受信中の放送電波の受信レベルが低下すると、このメモリに記憶したＡＦリストに基づいて同一ネットワーク局の放送電波を自動追従し、この受信レベルが良好な同一ネットワーク局の放送電波を受信することにより、常に受信レベルの良好な放送電波をユーザーに享受するものである。
【０００７】
このような多重放送受信装置の自動追従機能としては、大きく分けて、弱電界追従動作と強電界追従動作との２種類に分別することができる。
【０００８】
では、ここで弱電界追従動作について図９に基づき説明する。図９は従来の多重放送受信装置における弱電界追従処理の処理動作を示すフローチャートである。
【０００９】
この弱電界追従処理とは、現在受信中の放送局の受信レベルが第１の所定レベル（追従電界開始レベル）まで低下した時点でＡＦリストに基づく追従動作を開始し、この追従動作にて得られた放送局の受信レベルが第２の所定レベル（追従電界停止レベル）まで上がった時点で追従動作を停止するものであり、現在受信中の放送局の受信レベルを継続的に検出しながら、良好な受信レベルの放送局に対して周波数追従する処理である。
【００１０】
図９に示す弱電界追従処理において、現在受信中の放送局（以下、単に追従元放送局と称する）のＲＦ信号のレベルに応じて受信レベルを検出し（ステップＳ１０１）、この追従元放送局に関わるＡＦリストがメモリ内に保持してあるか否かを判定する（ステップＳ１０２）。
【００１１】
このメモリ内にＡＦリストが保持してあるのであれば、追従元放送局の受信レベルが追従電界開始レベル以下であるか否かを判定する（ステップＳ１０３）。尚、この追従電界開始レベルとは、予め一定値に設定されており、放送局の受信状態が維持できなくなる直前の受信レベル、つまり、前述した第１の所定レベルに相当するものである。
【００１２】
ステップＳ１０３にて追従元放送局の受信レベルが追従電界開始レベル以下であれば、メモリ内に保持してあるＡＦリストに基づいてＡＦ局を順次追従動作し（ステップＳ１０４）、現在追従動作されている放送局（以下、単に追従先放送局）の受信レベルを検出し（ステップＳ１０５）、この追従先放送局が追従元放送局と同一放送内容であるか否かを判定する（ステップＳ１０６）。
【００１３】
尚、ここで同一放送内容であるか否かを判別するためには、追従元放送局のＰＩコードを追従元放送局の多重データ受信時に得て、このＰＩコードを予めメモリに記憶しておく必要があり、追従元放送局と追従先放送局とのＰＩコードが同一の場合には同一放送内容として判断することができる。
【００１４】
ステップＳ１０６にて追従先放送局が追従元放送局と同一放送内容、つまり同一ＰＩコードと判定されたのであれば、この追従先放送局の受信レベルが追従電界停止レベル以上であるか否かを判定する（ステップＳ１０７）。尚、追従電界停止レベルとは、予め一定値に設定されており、放送局に対する良好な受信状態を充分に維持することができる受信レベル、いわゆる、前述した第２の所定レベルに相当するものである。
【００１５】
ステップＳ１０７にて追従先放送局の受信レベルが追従電界停止レベル以上であれば、この追従先放送局に対して周波数追従を実行し（ステップＳ１０８）、この弱電界追従処理を終了する。
【００１６】
また、ステップＳ１０２にてＡＦリストがメモリ内に保持されていなければ、又はステップＳ１０３にて追従元放送局の受信レベルが追従電界開始レベル以下でなければ、この弱電界追従処理を終了する。
【００１７】
また、ステップＳ１０６にて追従先放送局が同一放送内容でなければ、又はステップＳ１０７にて追従先放送局の受信レベルが追従電界停止レベル以上でなければ、ステップＳ１０４に移行することにより、さらなる他のＡＦ局に対する追従動作を実行するものである。
【００１８】
このように従来の弱電界追従処理によれば、現在受信中の放送局の受信レベルが低下したとしても、ユーザーは現在受信中の放送局と同一放送内容の良好な受信レベルの放送局を常に得ることができる。
【００１９】
また、強電界追従動作について図１０に基づき説明する。図１０は従来の多重放送受信装置における強電界追従処理の処理動作を示すフローチャートである。
【００２０】
この強電界追従処理とは、現在受信中の放送局（追従元放送局）の受信レベルに関係なく、ＡＦリストに基づいて全ＡＦ局（追従先放送局）に対して順次追従動作を実行し、全追従先放送局の中から最高の受信レベルを有する追従先放送局に対して周波数追従する処理である。尚、この強電界追従処理は、所定時間毎に、断続的に行われる処理である。
【００２１】
図１０に示す強電界追従処理において、現在受信中の放送局（追従元放送局）のＲＦ信号のレベルに応じて受信レベルを検出し（ステップＳ１１１）、この追従元放送局の受信レベル及び受信周波数をメモリに記憶し（ステップＳ１１２）、この追従元放送局に関わるＡＦリストがメモリ内に保持してあるか否かを判定する（ステップＳ１１３）。
【００２２】
このメモリ内にＡＦリストが保持してあるのであれば、このＡＦリストに基づいてＡＦ局（追従先放送局）を順次追従動作し（ステップＳ１１４）、この追従先放送局の受信レベルを検出し（ステップＳ１１５）、この追従先放送局と追従元放送局とが同一放送内容であるか否かを判定する（ステップＳ１１６）。
【００２３】
この追従先放送局と追従元放送局とが同一放送内容であれば、この追従先放送局の受信レベルがメモリに記憶中の放送局の受信レベルよりも上か否かを判定する（ステップＳ１１７）。
【００２４】
この追従先放送局の受信レベルがメモリに記憶中の放送局の受信レベルよりも上であれば、この追従先放送局の受信周波数及び受信レベルをメモリに記憶更新し（ステップＳ１１８）、ＡＦリストによる全ＡＦ局に対する追従動作が終了したか否かを判定する（ステップＳ１１９）。
【００２５】
ＡＦリストに基づく全ＡＦ局に対する追従動作が終了したのであれば、現在メモリに記憶中の追従先放送局の受信周波数に対して周波数追従して（ステップＳ１２０）、この強電界追従処理を終了する。
【００２６】
ステップＳ１１３にてメモリ内にＡＦリストが保持されていなければ、この強電界追従処理を終了する。
【００２７】
また、ステップＳ１１６にて追従先放送局と追従元放送局とが同一放送内容でなければ、又はステップＳ１１７にて追従先放送局の受信レベルがメモリに記憶中の放送局の受信レベルよりも上でなければ、ステップＳ１１９に移行する。
【００２８】
また、ステップＳ１１９にてＡＦリストに基づく全ＡＦ局に対して追従動作が終了したのでなければ、ステップＳ１１４に移行することにより、さらなるＡＦ局に対して追従動作を実行する。
【００２９】
従って、このような従来の強電界追従処理によれば、現在受信中の放送局の受信レベルに関係なく、同一放送内容を放送している複数の放送局の内、常に最高の受信レベルの放送局を受信することができる。
【００３０】
しかしながら、このような従来の強電界追従処理によれば、現在受信中の放送局の受信レベルが良好であるか否かを問わず、最高の受信レベルを有する同一放送内容の放送局に追従動作を実行しようとすることにより、頻繁に追従動作が行われるため、多重放送受信装置にチューナ部が一つしかない場合にはＡＦリストに基づく各ＡＦ局への追従動作を実行すると、現在受信中の放送局の放送が中断してしまうといった事態が発生する。
【００３１】
そこで、このような事態を打開するために、一般文字放送等といった通常の多重放送受信中に追従動作を実行する場合には弱電界追従処理を採用した方が好ましい。
【００３２】
また、先頃実用化された多重放送のサービスとして、周辺地域に関わる渋滞情報等の交通情報を運転者に提供する道路交通情報システム（以下、単にＶＩＣＳと称する）サービスがある。
【００３３】
このＶＩＣＳサービスとは、既存の多重放送を利用して、この多重放送に多重化した多重データにＶＩＣＳデータを含めることにより、このＶＩＣＳデータを送信する放送局の周辺地域に関わる渋滞情報等の交通情報を運転者に提供するものである。
【００３４】
通常、このようなＶＩＣＳ放送は、主にＮＨＫのＦＭ放送局から放送しており、このようなＮＨＫのＦＭ放送局は、各都道府県毎に１局づつ設置してある。つまり、各都道府県のＶＩＣＳ情報は、個々の都道府県のＮＨＫのＦＭ放送局から得ることができる。
【００３５】
例えばＮＨＫ東京のＦＭ放送局からは、東京都内のＶＩＣＳ情報を得ることができ、ＮＨＫ浦和の放送局からは埼玉県内のＶＩＣＳ情報を得ることができるというものである。
【００３６】
従って、このようなＶＩＣＳ放送を受信可能とする多重放送受信装置によれば、このＶＩＣＳ放送を受信することにより、このＶＩＣＳ放送を送信する放送局の周辺地域に関わる交通情報を運転者に提供し、ひいては、その地域に関わる交通渋滞を緩和することができる。
【００３７】
しかしながら、上記従来の弱電界追従処理を採用した多重放送受信装置で、各放送局のサービスエリアを通過しながら目的地に向かって走行中に、ＶＩＣＳ放送に対する追従動作を実行する場合には、次に説明するような弊害が発生する。
【００３８】
例えば各ＮＨＫのＦＭ放送局のサービスエリアは、必ずしも各都道府県内にあるとは限らず、例えばＮＨＫ東京のサービスエリアの場合には、ＮＨＫ東京の放送局が東京都内にあるとしても、そのサービスエリアは１都３県に跨がっており、必然的に、その放送局の送信出力も強くなっている。
【００３９】
例えば地方（埼玉県）から東京都への走行中に、ＶＩＣＳ放送に対する追従動作を実行した場合、現在受信中の地方局（例えばＮＨＫ浦和）の受信レベルが追従電界開始レベル以下となった時点でＮＨＫ東京への追従動作を実行するのものである。
【００４０】
しかしながら、走行車両が東京都内に進入したとしても、ＮＨＫ浦和の受信レベルが高い為に、その受信レベルが追従電界開始レベル以下になるとは限らず、東京都内にいるにも関わらず、ＮＨＫ浦和からの埼玉県内の交通情報（ＶＩＣＳ情報）を得ることになってしまう。
【００４１】
また、東京都から地方（埼玉県）への走行中に、ＶＩＣＳ放送に対する追従動作を実行した場合、前述したように埼玉県はＮＨＫ東京のサービスエリア内にあるので、その送信出力は非常に強い為、ＮＨＫ浦和の放送局周辺に近付いたとしても、ＮＨＫ東京からの受信レベルは追従開始レベル以下にならず、埼玉県内にいるにも関わらず、ＮＨＫ東京からの東京都内の交通情報を得ることになってしまう。
【００４２】
そこで、このような弊害をなくすために多重放送受信装置に強電界追従処理と弱電界追従処理との２通りの自動追従パターンを設定しておき、ユーザー側の入力操作に応じて、これら自動追従パターンを切換設定する、つまり、一般多重放送を受信中に追従動作を実行する場合には弱電界追従処理を、ＶＩＣＳ放送を受信中に追従動作を実行する場合には強電界追従処理を切換設定するといった方法が考えられている。
【００４３】
また、このような多重放送受信装置によれば、例えば同一ネットワーク局が隣接した強電界レベル地域で追従動作を実行した場合に、この追従先放送局のＲＦ信号の入力レベルが非常に強い強電界レベル以上となると、この追従先放送局のＲＦ信号が歪んでしまって正常な受信ができなくなってしまうといった事態が発生する。
【００４４】
そこで、このような事態に対処すべく、現在受信中の放送局のＲＦ信号の入力レベルが強電界レベル以上となると、この放送局の受信レベルを飽和状態とするようにＲＦ信号の入力レベルを調整するレベル調整回路としてＡＧＣ制御回路を多重放送受信装置に設けるようにしたものが考えられている。
【００４５】
図１１は従来の多重放送受信装置に設けたレベル調整回路の概略構成を示す回路図である。
【００４６】
図１１においてレベル調整回路１００は、第１入力端子（Ｇ１端子）１１１に印加された後述するＡＧＣ制御電圧に応じて、第２入力端子（Ｇ２端子）１１２に印加された放送局のＲＦ信号のレベルを制御する電界効果トランジスタ（以下、単にＦＥＴと称する）１１０と、このＦＥＴ１１０にてレベル制御されたＲＦ信号のレベルに応じてＡＧＣ制御電圧を出力するＡＧＣ制御回路１２０と、このＡＧＣ制御回路１２０のＡＧＣ制御電圧を第１入力端子１１１に印加させる第１抵抗器１３０及び第２抵抗器１４０とを有している。
【００４７】
前記ＡＧＣ制御回路１２０の図示せぬメモリには、図１２に示すように、ＡＧＣ制御回路１２０に入力するＲＦ信号の入力レベルと、この入力レベルに対応したＡＧＣ制御電圧とを夫々対応づけたＡＧＣ制御パターンが記憶してある。
【００４８】
前記ＡＧＣ制御回路１２０は、図１２に示すように、ＲＦ信号の入力レベルが強電界レベル未満の場合には一定のＡＧＣ制御電圧を出力するものであるが、ＲＦ信号の入力レベルが強電界レベル以上、いわゆるＡＧＣ動作点以上となると、そのＡＧＣ制御電圧を徐々に低下させるものである。
【００４９】
このようにレベル調整回路１００を備えた多重放送受信装置によれば、ＲＦ信号の入力レベルが強電界レベル以上となると、この入力レベルに対応したＡＧＣ制御電圧に基づいてＲＦ信号のレベルを制御するようにしたので、その受信レベルは飽和状態となり、ＲＦ信号の歪むことなく正常な受信を行うことができる。
【００５０】
図１３は強電界レベル地域でＡ放送局及びＢ放送局に対して追従動作を実行した場合に、実際上の受信レベル（入力電界強度レベル）とレベル調整回路１００でレベル調整を施した受信レベルとの関係を示す説明図である。
【００５１】
このようにレベル調整回路１００を備えた多重放送受信装置は、図１３に示すように、例えばＡ放送局及びＢ放送局に対して追従動作を実行し、この追従動作にて得られたＡ放送局及びＢ放送局のＲＦ信号の入力レベルが強電界レベル以上となると、ＲＦ信号の入力レベルを調整することにより、Ａ放送局及びＢ放送局の受信レベル（シグナルレベルメータ出力）を飽和状態とする。
【００５２】
従って、このようなレベル調整回路１００を備えた多重放送受信装置によれば、放送局の受信レベルが強電界レベル以上となると、この受信レベルを飽和状態とするようにしたので、この放送局からのＲＦ信号が歪むことなく、この放送局に対して正常に受信することができる。
【００５３】
【発明が解決しようとする課題】
しかしながら、上記従来の多重放送受信装置によれば、例えば強電界レベル地域にて強電界追従動作を実行して、この強電界追従動作にて得られた複数の追従先放送局のＲＦ信号の入力レベルが強電界レベル以上となると、ＡＧＣ制御回路１２０のＡＧＣ制御電圧によってＲＦ信号の入力レベルをレベル調整することにより、これら強電界レベル以上の追従先放送局の受信レベルを飽和状態にしてしまうので、図１３に示すように、実際にはＢ放送局の受信レベルがＡ放送局よりも良いにも関わらず、これら追従先放送局の受信レベルを同一レベルであると誤判断してしまい、これら複数の追従先放送局の内、最高の受信レベルを有する追従先放送局（Ｂ放送局）への周波数追従ができず、ひいては、自車位置からの距離が最も近い放送局の地域に関わるＶＩＣＳ放送を得ることができないといった問題点があった。
【００５４】
本発明は、上記問題点に鑑みてなされたものであり、その目的とするところは、殊に強電界レベル地域での正確な自動追従動作を実現することができる多重放送受信装置を提供することにある。
【００５５】
【課題を解決するための手段】
上記目的を達成するために本発明における請求項１記載の多重放送受信装置は、放送局から到来する、放送番組及び、この放送番組に多重化された多重データを含む放送電波のＲＦ信号を受信する受信手段と、この放送電波から多重データを抽出するデータ抽出手段と、現在受信中の放送電波のＲＦ信号に応じて受信レベルを検出する受信レベル検出手段と、現在受信中の追従元放送電波と同一ネットワーク局の放送電波に対して追従動作を実行する追従動作実行手段と、この追従動作実行手段にて追従された追従先放送電波及び追従元放送電波の内、最高の受信レベルに関わる放送電波を受信手段に受信させる制御手段とを有する多重放送受信装置であって、前記追従動作実行手段による追従元放送電波及び追従先放送電波の各ＲＦ信号のレベルを一律に減衰するレベル減衰手段を有し、前記制御手段は、前記追従動作実行手段にて現在受信中の追従元放送電波と同一ネットワーク局の追従先放送電波に対して追従動作を実行させるときに、受信中の多重データが特殊多重データである場合のみ、前記レベル減衰手段の動作を起動させ、前記追従動作が終了した時に前記レベル減衰手段の動作を停止させることを特徴とする。
【００５６】
前記放送電波とは、例えばＦＭラジオ放送の放送電波に文字放送データやサービスデータ等の多重データを多重化した、いわゆる「見えるラジオ放送」と呼ばれる放送電波に相当するものである。
【００５７】
前記多重データは、例えば文字放送に関わるデータ、代替周波数リストや番組識別コード等を有しており、前記代替周波数リストは、この代替周波数リストを送信する放送局と同一のネットワーク局の受信周波数をリスト化した周波数リスト、つまりＡＦリストに相当するものである。
【００５８】
前記受信手段は、例えば受信アンテナ、チューナ部及びＰＬＬ回路等に相当するものである。
【００５９】
前記データ抽出手段は、放送電波に含まれる多重データを抽出するものであり、例えば多重デスクランブル及び多重デコーダ等に相当するものであり、このデータ抽出手段にて抽出された多重データをメモリに記憶保持されるものである。
【００６０】
前記受信レベル検出手段は、例えばチューナ部に内蔵され、現在受信中の放送電波のＲＦ信号を直流電圧等のシグナルメータ電圧に変換することにより、現在受信中の放送電波の受信レベルを検出するものである。
【００６１】
前記追従動作実行手段は、例えばＰＬＬ回路やチューナ部に相当するものであり、前記多重データにある代替周波数リストに基づいて追従動作を実行し、受信レベルの良好な放送電波を受信手段に受信させる自動追従動作機能を実行する部位である。
【００６２】
前記制御手段は、この多重放送受信装置全体を制御する、例えばシステムＣＰＵに相当するものである。
【００６３】
前記レベル減衰手段は、前記受信手段と受信レベル検出手段との間のＲＦ信号ラインに設けた減衰器に相当するものであり、現在受信中の放送電波のＲＦ信号のレベルを一律に減衰するものである。
【００６４】
従って、本発明における請求項１記載の多重放送受信装置によれば、前記追従動作実行手段にて現在受信中の追従元放送電波と同一ネットワーク局の追従先放送電波に対して追従動作を実行させるときに、前記レベル減衰手段の動作を起動させて、追従元放送電波及び追従先放送電波の各ＲＦ信号のレベルを一律に減衰させるようにしたので、例えば強電界レベル地域にて追従先放送電波や追従元放送電波のＲＦ信号のレベルが強電界レベル以上となったとしても、各放送電波の受信レベルが飽和状態になることはなく、各放送電波の受信レベルの差が顕著に表れることにより、複数の放送電波の内、最高の受信レベルに関わる放送電波への周波数追従を行うことができる。
【００６６】
また、本発明における請求項１記載の多重放送受信装置によれば、前記追従動作実行手段にて追従された追従先放送電波及び追従元放送電波の受信レベルの内、最高の受信レベルに関わる放送電波を受信手段に受信させると、レベル減衰手段の動作を停止させるようにしたので、追従動作実行手段による追従動作終了と同時に通常の受信レベルで放送電波を受信することができる。
【００６７】
また、本発明における請求項２記載の多重放送受信装置は、上記請求項１記載の多重放送受信装置の構成に加えて、前記レベル減衰手段は、各放送電波のＲＦ信号の代わりに、このＲＦ信号に応じた受信レベルを一律に減衰することを特徴とする。
【００６８】
この請求項２記載のレベル減衰手段は、上記請求項１記載のレベル減衰手段を受信手段と受信レベル検出手段との間のＲＦ信号ラインに設けるようにしたのに対して、受信レベル検出手段の出力段に設けるようにし、この受信レベル検出手段の出力である各受信レベルを一律に減衰するようにしたものである。
【００６９】
従って、本発明における請求項２記載の多重放送受信装置によれば、ＲＦ信号の代わりに受信レベルを一律に減衰するようにしたので、上記請求項１記載の多重放送受信装置と同様の効果を得ることができる。
【００７０】
また、本発明における請求項３記載の多重放送受信装置は、上記請求項１記載の多重放送受信装置の構成に加えて、前記レベル減衰手段は、制御電圧に応じて、前記追従元放送電波及び追従先放送電波の各ＲＦ信号のレベルを制御するレベル制御手段と、このレベル制御手段にてレベル制御されたＲＦ信号に対応した制御電圧を生成する制御電圧生成手段と、前記制御手段からの制御信号に応じて、前記レベル制御手段にかかる制御電圧のレベルを一律に減衰させる電圧減衰手段とを有することを特徴とする。
【００７１】
前記レベル制御手段は、例えば、前記受信アンテナからの追従元放送電波及び追従先放送電波の各ＲＦ信号を入力する第２入力端子（Ｇ２端子）と、この第２入力端子から得られるＲＦ信号のレベルを制御するために、後述するＡＧＣ制御電圧を入力する第１入力端子（Ｇ１端子）と、このＡＧＣ制御電圧に応じてレベル制御されたＲＦ信号を出力する出力端子とを有するＦＥＴに相当するものである。
【００７２】
前記制御電圧生成手段は、前記ＦＥＴにてレベル制御されたＲＦ信号の入力レベルに応じたＡＧＣ制御電圧を生成し、このＡＧＣ制御電圧をＦＥＴの第１入力端子に印加するＡＧＣ制御回路に相当するものである。
【００７３】
尚、このＡＧＣ制御回路は、レベル制御されたＲＦ信号の入力レベルに応じたＡＧＣ制御電圧を出力するものであり、このＲＦ信号のレベルが強電界レベル以上となると、このＲＦ信号のレベルに応じて、徐々に、ＡＧＣ制御電圧のレベルを低下させるものである。
【００７４】
前記電圧減衰手段は、前記制御手段からの制御信号であるハイレベル信号に応じてＯＮ動作するトランジスタと、前記ＡＧＣ制御回路とＦＥＴの第１入力端子とを接続する第１抵抗器と、前記ＦＥＴの第１入力端子に夫々接続する第２抵抗器及び第３抵抗器とで構成するものである。
【００７５】
尚、前記第１抵抗器、第２抵抗器、第３抵抗器は、夫々、ＦＥＴの第１入力端子に接続しており、前記トランジスタがＯＮ動作すると、前記第２抵抗器及び第３抵抗器が並列接続となり、第１抵抗器の抵抗値と、第２及び第３抵抗器の合成抵抗値との比によって、前記ＡＧＣ制御回路からの第１入力端子に印加するＡＧＣ制御電圧のレベルを減衰するものである。
【００７６】
前記制御手段による制御信号の出力タイミングは、例えば、前記追従動作実行手段による追従動作を開始するとき、つまり追従元放送電波の受信レベルを検出するときに相当するものである。尚、この制御信号の出力タイミングは、追従動作実行手段にて追従された追従先放送局のＲＦ信号のレベルが強電界レベル以上となったときに実行するようにしても良い。
【００７７】
従って、本発明における請求項３記載の多重放送受信装置によれば、上記請求項１記載の多重放送受信装置の効果に加えて、前記追従動作実行手段による追従動作を開始すると、前記制御手段が制御信号を送出して、この制御信号に応じて制御電圧（ＡＧＣ制御電圧）のレベルを減衰し、この減衰した制御電圧（ＡＧＣ制御電圧）に応じて各放送電波のＲＦ信号のレベルを制御するようにしたので、前記制御電圧制御手段であるＡＧＣ制御回路を利用しながら、各ＲＦ信号のレベルを一律に減衰することができる。
【００７８】
また、本発明における請求項３記載の多重放送受信装置によれば、例えばＡＧＣ制御回路のＡＧＣ制御電圧を調整することによりＲＦ信号のレベルを制御するようにしたので、新たな制御電圧を必要としない。さらに、従来のレベル調整回路に第３抵抗器及びトランジスタを設けるだけで簡単に上述した効果を達成することができる。
【００７９】
また、本発明における請求項４記載の多重放送受信装置は、上記請求項１記載の多重放送受信装置の構成に加えて、前記レベル減衰手段は、前記受信手段及び受信レベル検出手段間に放送電波のＲＦ信号が流れ込み可能な分岐線と、この分岐線にＲＦ信号が流れ込まない程度の抵抗値を有する抵抗手段と、前記制御手段からの制御信号に応じて、所定の制御電流を生成する制御電流生成手段と、この所定の制御電流に応じて、前記分岐線にＲＦ信号が流れ込むように抵抗手段の抵抗値を一定値まで下げる抵抗値制御手段とを有することを特徴とする。
【００８０】
前記抵抗手段は、前記分岐線からＲＦ信号が流れ込まない程度の抵抗値を有する第１ダイオードに相当するものである。尚、前記抵抗値とは第１ダイオード内の端子間抵抗値に相当するものである。
【００８１】
前記制御電流生成手段は、前記制御手段からの制御信号である所定電流を印加すると、所定の制御電流を生成する第２ダイオードに相当するものである。
【００８２】
前記抵抗値制御手段も同様に第２ダイオードに相当するものであり、この所定の制御電流を第１ダイオードに印加することにより、第１ダイオードの抵抗値を一定値まで下げる構成としてある。
【００８３】
つまり、この第１ダイオードの抵抗値が一定値まで下がると、前記分岐線から第１ダイオードにＲＦ信号が流れ込むことによって、前記受信レベル検出手段に流れ込む各ＲＦ信号のレベルが一律に減衰することになる。
【００８４】
従って、本発明における請求項４記載の多重放送受信装置によれば、上記請求項１記載の多重放送受信装置の効果に加えて、前記追従動作実行手段による追従動作を開始すると、前記制御手段が制御信号である所定電流を送出して、この所定電流を制御電流生成手段（第２ダイオード）に印加することにより抵抗手段（第１ダイオード）の抵抗値を下げて、受信レベル検出手段に流れるべきＲＦ信号が抵抗手段に流れ込むようにしたので、前記ＡＧＣ制御回路を利用せずとも、受信レベル検出手段に流れ込む各ＲＦ信号のレベルを一律に減衰することができる。
【００８５】
また、本発明における請求項５記載の多重放送受信装置は、上記請求項１記載の多重放送受信装置の構成に加えて、前記多重データが、この多重データを含む放送電波を送信する放送局の周辺地域に関わる交通情報を有することを特徴とする。
【００８６】
本発明における請求項６記載の多重放送受信装置は、上記請求項２記載の多重放送受信装置の構成に加えて、前記多重データが、この多重データを含む放送電波を送信する放送局の周辺地域に関わる交通情報を有することを特徴とする。
【００８７】
本発明における請求項７記載の多重放送受信装置は、上記請求項３記載の多重放送受信装置の構成に加えて、前記多重データが、この多重データを含む放送電波を送信する放送局の周辺地域に関わる交通情報を有することを特徴とする。
【００８８】
本発明における請求項８記載の多重放送受信装置は、上記請求項４記載の多重放送受信装置の構成に加えて、前記多重データが、この多重データを含む放送電波を送信する放送局の周辺地域に関わる交通情報を有することを特徴とする。
【００８９】
前記交通情報は、ＶＩＣＳ放送のＶＩＣＳデータに相当するものであり、このＶＩＣＳデータの識別は多重データに含まれるＳＩコードで行うものとする。
【００９０】
従って、本発明における請求項５、６、７又は８記載の多重放送受信装置によれば、上記請求項１又は２、３又は４記載の多重放送受信装置の効果に加えて、例えば強電界レベル地域を走行中にＶＩＣＳ放送の放送電波に対する追従動作を行ったとしても、各放送電波の受信レベルが飽和状態となることなく、各放送電波の受信レベルの差が顕著に表れることにより、複数の放送電波の内、最高の受信レベルに関わるＶＩＣＳ放送の放送電波に対して周波数追従することができる。
【００９１】
つまり、現在走行中の地域に関わる交通情報を確実に得ることができ、ひいては走行中の地域における交通渋滞を大幅に緩和することができる。
【００９２】
【発明の実施の形態】
以下、図面に基づいて本発明の多重放送受信装置における実施の形態に示すＦＭ多重受信装置について説明する。図１は本発明の実施の形態に示すＦＭ多重受信装置内部の概略構成を示すブロック図である。
【００９３】
図１においてＦＭ多重受信装置１０は、図示せぬＦＭ放送局から到来する、音声放送番組と、この音声放送番組に多重化され、一般放送多重データ、代替周波数リスト（ＡＦリスト）及び特殊多重データ等を含む多重データとを有する放送電波を受信する二つの受信アンテナ１１と、これら受信アンテナ１１からの放送信号を分配するアンテナ分配部１２と、ＰＬＬ回路１３から出力される電圧に基づいて放送局の放送電波と同調して放送信号を得ると共に、この放送信号から音声放送番組の音声信号を得るチューナ部１４と、このチューナ部１４から得られた放送信号をデスクランブルして多重データを得る多重デスクランブル１５と、この多重デスクランブル１５から得られた多重データをデコードする多重デコーダ１６と、この多重データを記憶するデータ用ＳＲＡＭ１７と、文字や記号等のデータを記憶したフォント用ＲＯＭ１８と、様々なデータを画面表示するＬＣＤ表示部１９と、様々な指令を入力するキー部２０と、様々な警報等を通知する報知音を音声出力するブザー部２１と、様々な警報等を通知するために点灯表示するインジケータ表示部（ＬＥＤ）２２と、これらＬＣＤ表示部１９、キー部２０、ブザー部２１及びインジケータ表示部２２を制御する表示用ＣＰＵ２３と、これらシステム全体を制御するシステムＣＰＵ２４とを有している。尚、請求項に記載の受信手段は、前記受信アンテナ１１、ＰＬＬ回路１３及びチューナ部１４に相当し、前記追従動作実行手段はＰＬＬ回路１３及びチューナ部１４に相当し、前記データ抽出手段は前記多重デスクランブル１５及び多重デコーダ１６に相当し、前記制御手段はシステムＣＰＵ２４に相当するものである。
【００９４】
前記ＦＭ多重受信装置１０は、前記多重デコーダ１６にてデコードされた現在受信中の放送局のＡＦリストを記憶する保持メモリ２５と、現在受信中の放送局の受信周波数及び受信レベルを記憶する受信メモリ２６とを有している。
【００９５】
また、前記チューナ部１４は、現在受信中の放送信号から得られるシグナルメータ電圧に基づいて現在受信中の放送局の受信レベルを検出する受信レベル検出手段である受信レベル検出部を有している。
【００９６】
前記多重データには、例えば一般文字放送に関わる一般放送多重データと、同一ネットワーク局の受信周波数をリスト化したＡＦリストと、同一の音声放送番組を放送局であることを示すＰＩコードと、特殊多重データであるＶＩＣＳデータと、このＶＩＣＳ放送番組を識別するＳＩコードとが含まれている。尚、前記ＶＩＣＳデータとは、このＶＩＣＳデータを送信する放送局の周辺地域に関わる渋滞情報等の交通情報に相当するものである。
【００９７】
前記ＬＣＤ表示部１９は、ＦＭ多重放送の一般文字放送を受信中の場合に、一般文字放送を画面表示するものであり、ＦＭ多重放送のＶＩＣＳ放送を受信中の場合に、この放送局の周辺地域に関わる交通情報を画面表示するものである。
【００９８】
また、システムＣＰＵ２４は、前記保持メモリ２５に記憶中のＡＦリストに基づいてＰＬＬ回路１３やチューナ部１４等を電圧制御することにより自動追従動作を実行するものである。尚、この自動追従処理は、一般多重放送を受信中に追従動作を実行する場合には弱電界追従処理を、ＶＩＣＳ放送を受信中に追従動作を実行する場合には強電界追従処理を切換えるといったように自動切換設定可能である。
【００９９】
前記アンテナ分配部１２及びチューナ部１４間のＲＦ信号ラインには、ＲＦ信号のレベルを減衰する減衰器２７が設けてある。図２は本実施の形態に示すＦＭ多重受信装置の要部である減衰器２７内部の概略構成を示す回路図である。
【０１００】
図２において減衰器２７は、制御電圧に応じて、前記アンテナ分配部１２からの各ＲＦ信号のレベルを制御するＦＥＴ３１と、このＦＥＴ３１にてレベル制御されたＲＦ信号に対応したＡＧＣ制御電圧を生成するＡＧＣ制御回路３２と、前記システムＣＰＵ２４からのハイレベル信号に応じて、前記ＦＥＴ３１にかかるＡＧＣ制御電圧のレベルを一律に減衰させるレベル減衰部４０とを有している。
【０１０１】
前記ＦＥＴ３１は、前記アンテナ分配部１２からの各ＲＦ信号を入力する第２入力端子（Ｇ２端子）３１ａと、この第２入力端子３１ａから得られるＲＦ信号のレベルを制御するＡＧＣ制御電圧を入力する第１入力端子（Ｇ１端子）３１ｂと、このＡＧＣ制御電圧に応じてレベル制御されたＲＦ信号を出力する出力端子３１ｃとを有している。尚。このＦＥＴ３１は、図５に示すように第１入力端子３１ｂに印加する制御電圧（ＡＧＣ制御電圧；Ｇ１端子印加電圧）が高くなると、その増幅度も高くなるものである。
【０１０２】
前記ＡＧＣ制御回路３２は、前記ＦＥＴ３１にてレベル制御されたＲＦ信号の入力レベルに応じたＡＧＣ制御電圧を生成し、このＡＧＣ制御電圧をＦＥＴ３１の第１入力端子３１ｂに印加するものである。
【０１０３】
尚、このＡＧＣ制御回路３２は、図１２にて説明したように、レベル制御されたＲＦ信号の入力レベルに応じたＡＧＣ制御電圧を出力するものであり、このＲＦ信号のレベルが強電界レベル（ＡＧＣ動作点）以上となると、このＲＦ信号のレベルに応じて、徐々に、ＡＧＣ制御電圧のレベルを低下させるものである。つまり、通常、このＲＦ信号のレベルが強電界レベル以上となると、受信レベルを飽和状態とするものである。
【０１０４】
前記レベル減衰部４０は、前記システムＣＰＵ２４からのハイレベル信号に応じてＯＮ動作するトランジスタ３４と、前記ＡＧＣ制御回路３２とＦＥＴ３１の第１入力端子３１ａとを接続する第１抵抗器３３と、前記ＦＥＴ３１の第１入力端子３１ｂに夫々接続する第２抵抗器３５及び第３抵抗器３６とで構成するものである。
【０１０５】
尚、前記第１抵抗器３３、第２抵抗器３５、第３抵抗器３６は、夫々、ＦＥＴ３１の第１入力端子３１ｂに接続しており、前記トランジスタ３４がＯＮ動作すると、前記第２抵抗器３５及び第３抵抗器３６が並列接続となり、第１抵抗器３３の抵抗値と、第２及び第３抵抗器３５，３６の合成抵抗値との比によって、前記ＡＧＣ制御回路３２からの第１入力端子３１ｂに印加するＡＧＣ制御電圧のレベルを減衰するものである。また、請求項に記載のレベル減衰手段は前記減衰器２７に相当し、前記レベル制御手段は前記ＦＥＴ３１に相当し、前記制御電圧生成手段は前記ＡＧＣ制御回路３２に相当し、前記電圧減衰手段は前記第１抵抗器３３、トランジスタ３４、第２抵抗器３５及び第３抵抗器３６に相当するものである。
【０１０６】
では、次に本実施の形態に示すＦＭ多重受信装置１０の動作について説明する。図３は本実施の形態に示すＦＭ多重受信装置１０のＶＩＣＳ追従動作処理におけるシステムＣＰＵ２４の処理動作を示すフローチャートである。
【０１０７】
このＶＩＣＳ追従動作処理とは、ＶＩＣＳ放送受信中にＶＩＣＳ放送中の放送局に対する追従動作を実行すると、この追従動作に関わる追従元放送局及び追従先放送局のの各ＲＦ信号のレベルを一律に減衰するように減衰器２７の減衰動作処理を設定し、最高の受信レベルを有するＶＩＣＳ放送中の放送局に周波数追従する処理である。
【０１０８】
図３においてシステムＣＰＵ２４は、現在受信中の放送局がＶＩＣＳ放送中であるか否かを判定する（ステップＳ１１）。尚、この放送局がＶＩＣＳ放送中であるか否かを判別する方法としては、多重データに含まれるＳＩコードにて行われるものである。
【０１０９】
ステップＳ１１にて現在受信中の放送局がＶＩＣＳ放送中であれば、強電界追従処理を設定し（ステップＳ１２）、前記減衰器２７の減衰動作を起動させる減衰動作処理を設定する（ステップＳ１３）。尚、この減衰動作処理の設定中は、前記減衰器２７のトランジスタ３４に対して、後述する減衰停止処理が実行されるまではハイレベル信号の出力を継続するものである。また、この減衰動作処理設定中においては、この設定中に得られる各放送局のＲＦ信号のレベルを一律に減衰するものである。
【０１１０】
ステップＳ１３にて減衰動作処理が設定されると、現在受信中の放送局のＲＦ信号のレベルに応じて受信レベルを検出し（ステップＳ１４）、現在受信中の放送局の受信レベル及び受信周波数を受信メモリ２６に記憶更新し（ステップＳ１５）、前記保持メモリ２５に記憶中のＡＦリストに基づいて、現在受信中の放送局に関わるＡＦ局に対して順次追従動作を実行し（ステップＳ１６）、この追従動作にて得られた追従先放送局がＶＩＣＳ放送中であるか否かを判定する（ステップＳ１７）。
【０１１１】
この追従先放送局がＶＩＣＳ放送中であれば、この追従先放送局のＲＦ信号のレベルに応じて受信レベルを検出して、この受信レベルが前記受信メモリ２６に記憶中の放送局の受信レベルよりも大きいか否かを判定する（ステップＳ１８）。尚、ステップＳ１８の比較処理においては、ステップＳ１３にて減衰動作処理が設定されているために、各放送局のＲＦ信号のレベルが一律に減衰してあるので、図６に示すように、例えばＡ放送局及びＢ放送局のＲＦ信号のレベルが強電界レベル以上であっても、各放送局の受信レベルが飽和状態になることはなく、各放送局の受信レベル差を顕著に表わすことができる。
【０１１２】
この追従先放送局の受信レベルが受信メモリ２６に記憶中の放送局の受信レベルよりも大きければ、この追従先放送局の受信レベル及び受信周波数を受信メモリ２６に記憶更新し（ステップＳ１９）、前記保持メモリ２５に記憶中のＡＦリストによる全ＡＦ局への追従動作が終了したか否かを判定する（ステップＳ２０）。
【０１１３】
このＡＦリストに全ＡＦ局への追従動作が終了したのであれば、図４に示すＭ１に移行する。
【０１１４】
ステップＳ１１にて現在受信中の放送局がＶＩＣＳ放送中でなければ、このＶＩＣＳ追従動作処理の処理動作を終了する。
【０１１５】
また、ステップＳ１７にて追従先放送局がＶＩＣＳ放送中でなければ、又は、ステップＳ１８にて追従先放送局の受信レベルが受信メモリ２６に記憶中の放送局よりも大きくなければ、ステップＳ２０に移行する。
【０１１６】
図４に示すＭ１においてシステムＣＰＵ２４は、受信メモリ２６に記憶中の放送局の受信周波数に周波数追従し（ステップＳ２１）、設定中の強電界追従処理を解除し（ステップＳ２２）、ステップＳ１３から実行中の減衰動作処理を解除するためにトランジスタ３４に対するハイレベル信号の出力を停止する減衰停止処理を実行し（ステップＳ２３）、このＶＩＣＳ追従動作処理の処理動作を終了する。
【０１１７】
本実施の形態によれば、例えば強電界レベル地域でＶＩＣＳ放送中の放送局に対する強電界追従動作を実行したとしても、前記減衰器２７の減衰動作を起動させる減衰動作処理を設定し、追従元放送局及び追従先放送局の各ＲＦ信号のレベルを一律に減衰させるようにしたので、追従先放送局及び追従元放送局のＲＦ信号のレベルが強電界レベル以上となったとしても、各放送局の受信レベルが飽和状態になることはなく、各放送電波の受信レベルの差が顕著に表れることにより、複数の放送局の内、最高の受信レベルに関わるＶＩＣＳ放送中の放送局に対して周波数追従を行うことができる。つまり、現在走行中の地域に関わる交通情報を確実に得ることができ、ひいては走行中の地域における交通渋滞を大幅に緩和することができる。
【０１１８】
尚、上記実施の形態においては、前記ＡＧＣ制御回路３２のＡＧＣ制御電圧を利用して各ＲＦ信号のレベルを減衰するようにしたが、前記ＡＧＣ制御回路３２を利用せずともＲＦ信号のレベルを制御することができる減衰器４０について説明する。図７は他の実施の形態に示す減衰器４０内部の概略構成を示す回路図である。
【０１１９】
図７において減衰器４０は、前記アンテナ分配部１２とチューナー部との間のＲＦ信号ラインに、前記アンテナ分配部１２からのＲＦ信号が流れ込み可能な分岐線４１と、この分岐線４１にＲＦ信号が流れ込まない程度の端子間抵抗値を有する第１ダイオード４２と、前記システムＣＰＵ２４からの制御信号である所定電流に応じて、所定の制御電流を生成し、この所定の制御電流に応じて、前記分岐線４１にＲＦ信号が流れ込むように第１ダイオード４２の端子間抵抗値を一定値まで下げる第２ダイオード４３とを有している。
【０１２０】
前記第１ダイオード４２の端子間抵抗値は、第１ダイオード４２内部の抵抗値に相当するものである。
【０１２１】
前記第２ダイオード４３は、前記システムＣＰＵ２４からの制御信号である所定電流を印加すると、所定の制御電流を生成すると共に、この所定の制御電流を第１ダイオード４２に印加することにより、第１ダイオード４２の端子間抵抗値を一定値まで下げる構成としてある。尚、図８に示すように、第２ダイオード４３から第１ダイオード４２に印加する電流が増大すると、第１ダイオード４２の端子間抵抗値も下がるものである。
【０１２２】
つまり、この第１ダイオード４２の端子間抵抗値が一定値まで下がると、前記分岐線４１から第１ダイオード４２に一定のＲＦ信号が流れ込むことによって、前記チューナ部１４内部の受信レベル検出部に流れ込む各ＲＦ信号のレベルが一律に減衰することになる。尚、請求項に記載のレベル減衰手段は前記減衰器４０に相当し、前記抵抗手段は前記第１ダイオード４２に相当し、前記制御電流生成手段及び抵抗値制御手段は前記第２ダイオード４３に相当するものである。
【０１２３】
従って、他の実施の形態によれば、ＶＩＣＳ放送中に強電界追従動作を開始すると、前記システムＣＰＵ２４が所定電流を送出して、この所定電流を第２ダイオード４３に印加することにより制御電圧を生成し、この第２ダイオード４３から第１ダイオード４２に制御電流を印加することにより、第１ダイオード４２の端子間抵抗値を下げて、前記チューナ部１４内部の受信レベル検出部に流れるべきＲＦ信号の一部が第１ダイオード４２に流れ込むようにしたので、前記ＡＧＣ制御回路３２を利用せずとも、受信レベル検出部に流れ込む各ＲＦ信号のレベルを一律に減衰することができる。
【０１２４】
尚、上記実施の形態においては、強電界追従処理時に減衰動作処理を実行するようにしたが、弱電界追従処理時に実行するようにしても良いことは言うまでもない。また、上記実施の形態においては多重放送受信装置としてＦＭ多重受信装置１０に適用して説明したが、例えば欧州等で使用されているＲＤＳ放送受信装置に適用しても同様の効果が得られることは言うまでもない。
【０１２５】
【発明の効果】
上記のように構成された本発明における請求項１記載の多重放送受信装置によれば、追従動作実行手段にて現在受信中の追従元放送電波と同一ネットワーク局の追従先放送電波に対して追従動作を実行させるときに、レベル減衰手段の動作を起動させて、追従元放送電波及び追従先放送電波の各ＲＦ信号のレベルを一律に減衰させるようにしたので、例えば強電界レベル地域にて追従先放送電波及び追従元放送電波のＲＦ信号のレベルが強電界レベル以上となったとしても、各放送電波の受信レベルが飽和状態になることはなく、各放送電波の受信レベルの差が顕著に表れることにより、複数の放送電波の内、最高の受信レベルに関わる放送電波への周波数追従を行うことができる。
【０１２６】
また、本発明における請求項１記載の多重放送受信装置によれば、追従動作実行手段にて追従された追従先放送電波及び追従元放送電波の受信レベルの内、最高の受信レベルに関わる放送電波を受信手段に受信させると、レベル減衰手段の動作を停止させるようにしたので、追従動作実行手段による追従動作終了と同時に通常の受信レベルで放送電波を受信することができる。
【０１２７】
また、本発明における請求項２記載の多重放送受信装置によれば、ＲＦ信号の代わりに受信レベルを一律に減衰するようにしたので、上記請求項１記載の多重放送受信装置と同様の効果を得ることができる。
【０１２８】
また、本発明における請求項３記載の多重放送受信装置によれば、追従動作実行手段による追従動作を開始すると、制御手段が制御信号を送出して、この制御信号に応じて制御電圧（ＡＧＣ制御電圧）のレベルを減衰し、この減衰した制御電圧（ＡＧＣ制御電圧）に応じて各放送電波のＲＦ信号のレベルを制御するようにしたので、制御電圧制御手段であるＡＧＣ制御回路を利用しながら、各ＲＦ信号のレベルを一律に減衰することができる。
【０１２９】
また、本発明における請求項３記載の多重放送受信装置によれば、例えばＡＧＣ制御回路のＡＧＣ制御電圧を調整することによりＲＦ信号の利得を制御するようにしたので、新たな制御電圧を必要としない。
【０１３０】
また、本発明における請求項４記載の多重放送受信装置によれば、追従動作実行手段による追従動作を開始すると、制御手段が制御信号である所定電流を送出して、この所定電流を制御電流生成手段（第２ダイオード）に印加することにより抵抗手段（第１ダイオード）の抵抗値を下げて、受信レベル検出手段に流れるべきＲＦ信号が抵抗手段に流れ込むようにしたので、前記ＡＧＣ制御回路を利用せずとも、受信レベル検出手段に流れ込む各ＲＦ信号のレベルを一律に減衰することができる。
【０１３１】
また、本発明における５、６、７又は８記載の多重放送受信装置によれば、例えば強電界レベル地域を走行中にＶＩＣＳ放送の放送電波に対する追従動作を行ったとしても、各放送電波の受信レベルが飽和状態となることなく、各放送電波の受信レベルの差が顕著に表れることにより、複数の放送電波の内、最高の受信レベルに関わるＶＩＣＳ放送の放送電波に対して周波数追従することができる。
【０１３２】
つまり、現在走行中の地域に関わる交通情報を確実に得ることができ、ひいては走行中の地域における交通渋滞を大幅に緩和することができる。
【図面の簡単な説明】
【図１】本発明における実施の形態を示すＦＭ多重受信装置内部の概略構成を示すブロック図である。
【図２】本実施の形態を示すＦＭ多重受信装置の要部である減衰器内部の概略構成を示す回路図である。
【図３】本実施の形態を示すＦＭ多重受信装置のＶＩＣＳ追従動作処理におけるシステムＣＰＵの処理動作を示すフローチャートである。
【図４】本実施の形態を示すＦＭ多重受信装置のＶＩＣＳ追従動作処理におけるシステムＣＰＵの処理動作を示すフローチャートである。
【図５】本実施の形態を示すＦＭ多重受信装置の要部である減衰器内部におけるＦＥＴの増幅度と第１入力端子への印加電圧との関係を示す説明図である。
【図６】本実施の形態を示すＦＭ多重受信装置において、強電界レベル地域でＡ放送局及びＢ放送局に追従動作を行った場合に、実際の受信レベル（入力電界強度レベル）と減衰動作処理を施したときに得られる受信レベルとの関係を示す説明図である。
【図７】他の実施の形態を示すＦＭ多重受信装置の要部である減衰器内部の概略構成を示す回路図である。
【図８】他の実施の形態を示すＦＭ多重受信装置の要部である減衰器内部における第１ダイオードの端子間抵抗値と、この第２ダイオードの制御電流との関係を示す説明図である。
【図９】従来技術の多重放送受信装置における弱電界追従処理の処理動作を示すフローチャートである。
【図１０】従来技術の多重放送受信装置における強電界追従処理の処理動作を示すフローチャートである。
【図１１】従来技術の多重放送受信装置に設けたレベル調整回路の概略構成を示す回路図である。
【図１２】従来技術の多重放送受信装置に設けたレベル調整回路の要部であるＡＧＣ制御回路におけるＡＧＣ制御電圧とＲＦ信号の入力レベルとの関係を示す説明図である。
【図１３】従来技術の多重放送受信装置において、強電界レベル地域でＡ放送局及びＢ放送局に追従動作を実行した場合の実際の受信レベル（入力電界強度レベル）とレベル調整回路１００によるレベル調整を施した受信レベルとの関係を示す説明図である。
【符号の説明】
１０  ＦＭ多重受信装置（多重放送受信装置）
１１  受信アンテナ（受信手段）
１３  ＰＬＬ回路（受信手段、追従動作実行手段）
１４  チューナ部（受信手段、追従動作実行手段、受信レベル検出手段）
１５  多重デスクランブル（データ抽出手段）
１６  多重デコーダ（データ抽出手段）
２４  システムＣＰＵ（制御手段）
２７  減衰器（レベル減衰手段）
３１  ＦＥＴ（電界効果トランジスタ；レベル制御手段）
３２  ＡＧＣ制御回路（制御電圧生成手段）
３３  第１抵抗器（電圧減衰手段）
３４  トランジスタ（電圧減衰手段）
３５  第２抵抗器（電圧減衰手段）
３６  第３抵抗器（電圧減衰手段）
４０  減衰器（レベル減衰手段）
４１  分岐線
４２  第１ダイオード（抵抗手段）
４３  第２ダイオード（制御電流生成手段、抵抗値制御手段）
【図１】
0003909916.tif 000002
【図２】
0003909916.tif 000003
【図３】
0003909916.tif 000004
【図４】
0003909916.tif 000005
【図５】
0003909916.tif 000006
【図６】
0003909916.tif 000007
【図７】
0003909916.tif 000008
【図８】
0003909916.tif 000009
【図９】
0003909916.tif 000010
【図１０】
0003909916.tif 000011
【図１１】
0003909916.tif 000012
【図１２】
0003909916.tif 000013
【図１３】
0003909916.tif 000014